(57)【要約】【課題】本考案は、袋表面にシリコン等の剥離剤を塗布することにより、再使用可能なラベルを貼付することができるラベル付薬袋を提供することを目的とするものである。【解決手段】本考案に係るラベル付薬袋は、患者ごとの処方箋に基づいて薬剤が収納される上端開口状の薬袋１と、該薬袋１の一側の表面に剥離剤が塗布される剥離層３と、前記剥離層３上に貼着されるラベル４を備える。【選択図】図１
0003127034.tif 000002
【実用新案登録請求の範囲】
【請求項１】
患者ごとの処方箋に基づいて薬剤が収納される上端開口状の薬袋と、
前記薬袋の一側の表面に剥離剤が塗布される剥離層と、
前記剥離層上に貼着されるラベルを備える
ことを特徴とするラベル付薬袋。
【請求項２】
前記ラベルが、病棟名、患者名、薬品処方年月日などの基本情報が記入される基本ラベルと薬品名、用法および用量などの個別情報が記入される切り離し可能な複数の転用ラベルとから構成され
ことを特徴とする請求項１記載のラベル付薬袋。
【請求項３】
前記剥離剤が、シリコンである
ことを特徴とする請求項１または２記載のラベル付薬袋。
【考案の詳細な説明】
【技術分野】
【０００１】
本発明は、ラベル付薬袋に関する。詳しくは病院等で使用される注射薬払い出し用の薬袋に貼付されるラベルを再利用するために剥がれやすくしたラベル付薬袋に係るものである。
【背景技術】
【０００２】
従来より、各病院等にあっては、主にアンプル等の注射薬などの薬品を、患者ごとの処方箋に従ってビニール製の薬袋に収納されている。その際には、薬袋の表面に直接患者情報や薬剤情報、手技情報を印字し、誰の為の何の薬剤であり、何時に施工されるか、処方番号等の情報を印字し薬袋の内容確認に使用されていた。
【０００３】
しかし薬袋に上記情報を印字する場合には、薬袋が置いてある場所だけに情報伝達が限定される問題があった。
そこで図３（イ）（ロ）でそれぞれ示すように、薬袋１０１に複数のラベル１０２を予め貼付しておき、薬袋発行時に薬袋１０１に貼付された複数のラベル１０２に直接患者情報や薬剤情報を印字することで、薬剤部やナースステーションでの薬袋１０１に収納された薬剤の確認、ベッドサイドでの処方の確認のためにラベル１０２を薬袋１０１から剥がして目的の物体に再貼付して利用できることになる（例えば、特許文献１参照。）。
【０００４】
【特許文献１】特開２００２−２８４１８０号公報
【考案の開示】
【考案が解決しようとする課題】
【０００５】
しかしながら薬袋からラベルを剥離させるためには、ラベルの糊は、弱粘糊、あるいは再剥離糊しか使用できない。また、このような特殊な糊は貼り付け強度が弱く、点滴等で薬剤を使用中にラベルが剥げ落ちる、あるいは薬剤部から病棟へ搬送中にラベルが落下することが多々ある。
【０００６】
また、粘着力の強い糊を使用した場合には、ラベルを薬袋面から剥離する際に袋面を破損させる場合がある。したがって薬袋の素材として生地が厚く、硬質な材質、あるいは剥離性の高い材質を使用する必要があるが、使い捨ての薬袋に使用するには非常にコスト高となる問題がある。
【０００７】
本考案は、以上の点に鑑みて創案されたものであって、薬袋表面にシリコン等の剥離剤を塗布することにより、再使用可能なラベルを貼付することができるラベル付薬袋を提供することを目的とするものである。
【課題を解決するための手段】
【０００８】
上記の目的を達成するために、本考案に係るラベル付薬袋は、患者ごとの処方箋に基づいて薬剤が収納される上端開口状の薬袋と、前記薬袋の一側の表面に剥離剤が塗布される剥離層と、前記剥離層上に貼着されるラベルを備える。
【０００９】
ここで、前記薬袋の一側の表面に剥離剤が塗布される剥離層を設けることにより、貼り付け強度の高い粘着剤が塗布されるラベルを使用することで剥がれ難く、かつ容易に剥離することが可能となる。
【００１０】
また、前記ラベルが、病棟名、患者名、薬品処方年月日などの基本情報が記入される基本ラベルと薬品名、用法および用量などの個別情報が記入される切り離し可能な複数の転用ラベルとから構成されことにより、患者への施行時には薬品名、用法および用量などの個別情報が記入される転用ラベル６を使用する薬品ごとに剥がし取り、薬品が収納される容器に再度貼り付けることが可能となる。
【考案の効果】
【００１１】
本考案のラベル付薬袋は、薬袋の外表面にシリコンなどの剥離剤を塗布することによって、使い捨て用として一般的に使用される生地の薄い合成樹脂袋に対して、貼り付け強度の高い粘着剤が塗布されるラベルを貼着した場合でも薬袋を破損することなく容易にラベルを剥離することができるとともに、剥離したラベルを再度貼り付けることが可能となる。
【００１２】
これにより特殊な素材の薬袋、あるいは特殊な粘着剤が塗布されるラベルを使用する必要がないために、使い捨てである薬袋のコストを安価とすることができる。
【考案を実施するための最良の形態】
【００１３】
以下、本考案の実施の形態を図面を参酌しながら説明し、本考案の理解に供する。
図１は、本考案を適用したラベル付薬袋の一例を示す平面説明図、図２は、図１における断面側面明図である。
【００１４】
ここで示す薬袋１は、ポリエチレンなどの一般的な合成樹脂製からなり、その上端には薬品を出し入れする開口部２が形成される。この薬袋１内には、注射アンプルやカプセル剤、錠剤等が収容される。
【００１５】
そこで薬袋１の一側面の表面に、例えばシリコンなどの剥離剤を塗布して剥離層３を形成するものである。そして剥離層３上に、ラベル４を貼着するものであり、このラベル４は、病棟名、患者名、薬品処方年月日および担当医名などの基本情報が記入される基本ラベル５と薬品名、用法および用量などの個別情報が記入される複数の転用ラベル６とから構成される。
【００１６】
前記転用ラベル６はミシン目７によって各転用ラベル６が個別に剥離できるようにされる。また、前記ラベル４の裏面には貼り付け強度の高い粘着剤が塗布されるが、薬袋１の外表面に剥離層３上に貼着されるために剥離層３側に粘着剤が残置することなく剥がすことができるために、剥がした転用ラベル６を前記薬袋１内に収納される注射アンプルを使用する際に情報確認のために再度貼り付けることが可能となる。
【００１７】
また、前記ラベル４への印字は、担当医の処方箋を基に、病院内に設置される薬局部においてプリンタ（図示せず）を出力装置として接続されたコンピュターの記憶部（図示せず。）に入力される薬品データベースを利用して各患者に処方される薬品名、製薬会社名、成分、用法、用量を入力し、前記プリンタによってラベル４上に入力された薬品名、製薬会社名、成分、用法、用量が自動印刷される。
【００１８】
そして前記ラベル４へ印刷されるとともに、ラベル４が薬袋１の一側の表面に形成される剥離層３上に自動ラベル貼り装置によって各薬袋１に連続的に貼着される。
【００１９】
そして、ラベル４が貼着された薬袋１内に、該ラベル４に記載された処方薬品が自動、あるいは手動により収納されるものである。
【００２０】
なお、本実施例では個体の薬袋のみについて詳述したが、薬袋は薬払い出し装置等によって薬剤の払い出しを自動化している場合には、予めシリコンなどの剥離剤が塗布されたロール状の薬体が使用されるものである。
【００２１】
このようにして薬袋１にラベル４が貼着されことにより、ラベル４が各病棟の看護詰め所等に運ばれる際に剥がれ落ちることがなく、確実に薬袋内に収納される各種薬品とラベル４に印字された品目とを照らし合わせることができる。
【００２２】
また、患者への施行時には薬品名、用法および用量などの個別情報が記入される転用ラベル６を使用する薬品ごとに剥がし取り、薬品が収納される容器に再度貼り付けることにより薬剤情報を再度確認して使用することが可能となる。
【図面の簡単な説明】
【００２３】
【図１】本考案を適用したラベル付薬袋の一例を示す平面説明図である。
【図２】図１における断面側面明図である。
【図３】従来のラベル付薬袋の一例を示す説明図である。
【符号の説明】
【００２４】
１      薬袋
２      開口部
３      剥離層
４      ラベル
５      基本ラベル
６      ミシン目
７      転用ラベル
【図１】
0003127034.tif 000003
【図２】
0003127034.tif 000004
【図３】
0003127034.tif 000005